(57)【要約】【課題】ファンの取付け時にトルク管理が不要であると共に取付け後もファン動作時の振動を低減させること。【解決手段】ファン取付け構造１は、ファン３の枠体４を台座２に押圧固定させる取付け部材５を有し、この取付け部材５は枠体４との接触部位に防振部材７を配置させると共に、枠体４と台座２との間に防振部材９を介在させている。取付け部材５は枠体４を保持する保持部５１とこの保持部５１を台座２に固定させる固定部５２とを備える。保持部５１は、枠体４のコーナー部位４１の上面と対向する面５１ａと、コーナー部位４１の一方の外側面と対向する面５１ｂと、コーナー部位４１の他方の外側面と対向する面５１ｃとを有し、各面５１ａ〜５１ｃは互いに垂直に配置されている。【選択図】図１
2014179540.tif 000002
【特許請求の範囲】
【請求項１】
ファンの枠体を台座に押圧固定させる取付け部材を有し、
この取付け部材は前記枠体との接触部位に防振部材を配置させると共に、
前記枠体と前記台座との間に防振部材を介在させたこと
を特徴とするファン取付け構造。
【請求項２】
前記取付け部材は、前記枠体を保持する保持部と、この保持部を前記台座に固定させる固定部とを備え、
前記保持部は、前記枠体のコーナー部位の上面と対向する面と、前記コーナー部位の一方の外側面と対向する面と、前記コーナー部位の他方の外側面と対向する面とを有し、
前記各面は互いに垂直に配置されたこと
を特徴とする請求項１に記載のファン取付け構造。
【請求項３】
前記取付け部材は前記枠体の対角部位に配置されることを特徴とする請求項２に記載のファン取付け構造。
【請求項４】
前記取付け部材には前記枠体内の回転翼への異物の侵入を防ぐ保護部材が装着されることを特徴とする請求項１から３のいずれか１項に記載のファン取付け構造。
【請求項５】
前記保護部材は固定具によって前記取付け部材に装着され、
この取付け部材における前記保護部材の取り付け面には前記固定具と螺合する突起部が備えられたこと
を特徴とする請求項４項に記載のファン取付け構造。
【請求項６】
前記台座は前記取付け部材の位置決め孔が形成され、
前記取付け部材は前記位置決め孔に挿入される位置決め凸部を備えたこと
を特徴とする請求項１から５のいずれか１項に記載のファン取付け構造。
【発明の詳細な説明】
【技術分野】
【０００１】
本発明は電子機器の排熱のためのファンの取付け構造に関する。
【背景技術】
【０００２】
従来から電子機器の排熱のために電子機器の筐体に換気口を形成しこの換気口にファンを取付けて電子機器の熱を排出させる処置が採られている（例えば特許文献１〜４等）。
【０００３】
特許文献１の換気装置は前記換気口の周囲に設けられる防振部材を介してファンを取付けることでファンの騒音を低減させている。しかしながら、ファン自身の振動はそのファンを前記筐体に固定させる部材に伝わり、その振動がさらに電子機器のハードディスクまで伝わるので、電子機器の誤動作を生じさせることがある。
【０００４】
特許文献２のファン取付け構造は、ファンの騒音の低減とファンのヒートシンクへの位置決めを図るものである。本構造は、ヒートシンクに対向してファンを支持させる支持具であって、ヒートシンクに固定される第一支持部材とファンが載置される第二支持部材との間に防振部材を介在させている。前記第一支持部材はヒートシンクに対する固定箇所を位置決めさせる穴部または凸部を有する。しかしながら、この構造は部品点数が多いことに加えて、ファンを第二支持部材に螺子止めする際には各螺子のトルクのばらつきを解消させる必要がある。さらに、第一支持部材に防振部材を介して第二支持部材を螺子止めする際にも各螺子のトルクの管理が必要となる。
【０００５】
特許文献３のファン取付け構造は、一方の対角位置に貫通孔が形成されたケーシング内に回転翼が収容されたファンを当該貫通孔に挿入した螺子の締め付けによって取付け体に取付ける構造となっている。この構造は一方の対角位置に弾性体からなる第一防振材が配置され、前記螺子の締め付けによって圧縮された前記第一防振材の厚みに応じた厚みの第二防振材が他方の対角位置に配置されている。本構造によれば前記第一防振材が圧縮可能であるのでケーシングに作用する力が均等に調整されるのでケーシングの変形を防止できると共に一応の振動を抑えることができる。しかしながら、実際にはファンの振動が螺子を伝わって取付け体に伝わってしまう。さらに、第二防振材の締め付け時には第一防振材の圧縮時の厚みを考慮してトルク管理を行わなければならない。
【０００６】
特許文献４のファン取付け構造はファンの枠体が防振部材を保持する防振部材保持部を備えている。前記枠体は前記保持部に保持された防振部材を介して支持具に取付けられる。しかしながら、この構造はファンの枠体が防振部材保持部を備えているので汎用のファンを適用することができない。また、特許文献２〜４の取付け構造と同様に螺子の締め付け時のトルク管理が必要となる。
【先行技術文献】
【特許文献】
【０００７】
【特許文献１】特開平５−１６７２８０号公報
【特許文献２】特開２００８−７１８３０号公報
【特許文献３】特開２００８−８２２５０号公報
【特許文献４】特開２００８−１３０７６６号公報
【発明の概要】
【発明が解決しようとする課題】
【０００８】
本発明は、上記の事情に鑑みなされたもので、ファンの取付け時にトルク管理が不要であり取付け後もファン動作時の振動を低減させることを技術課題とする。
【課題を解決するための手段】
【０００９】
そこで、本発明のファン取付け構造は、ファンの枠体を台座に押圧固定させる取付け部材を有し、この取付け部材は前記枠体との接触部位に防振部材を配置させると共に、前記枠体と前記台座との間に防振部材を介在させたことを特徴とする。本発明によれば、取付け部材が台座に固定される際に枠体が防振部材を介して当該取付け部材の押圧を受けるので、トルク管理を要することなく前記枠体を前記台座に固定させることできる。また、枠体内の回転翼が回転動作する時の振動が取付け部材と枠体との間及び当該枠体と台座との間に介在した防振部材により吸収されるので前記振動が台座に伝わらなくなる。
【００１０】
前記取付け部材の態様としては、前記枠体を保持する保持部と、この保持部を前記台座に固定させる固定部とを備え、前記保持部は、前記枠体のコーナー部位の上面と対向する面と、前記コーナー部位の一方の外側面と対向する面と、前記コーナー部位の他方の外側面と対向する面とを有し、前記各面は互いに垂直に配置させるとよい。本態様によれば、前記台座における換気口の縦方向または横方向への前記枠体のずれを回避できる。
【００１１】
前記取付け部材は前記枠体の対角部位に配置されるとよい。本態様によれば、前記取付け部材の部品点数を最小限に抑えて前記枠体を前記台座に固定できる。
【００１２】
前記取付け部材には前記枠内の回転翼への異物の侵入を防ぐ保護部材を装着するとよい。本態様によれば、回転動作中の回転翼への異物の侵入を防ぐことができる。
【００１３】
前記保護部材は固定具によって前記取付け部材に装着され、この取付け部材における前記保護部材の取付け面には前記固定具と螺合する固定柱が備えられるとよい。本態様によれば保護部材の固定具が少なくとも枠体内の回転翼に接触しないので当該固定具による回転翼の破損を防止できる。
【００１４】
前記台座は前記取付け部材の位置決め孔が形成され、前記取付け部材は前記位置決め孔に挿入される位置決め凸部を備えるとよい。本態様によれば、前記台座に対して取付け部材の位置決めがなされるので前記枠体を当該台座の所定位置に取り付けることができる。
【発明の効果】
【００１５】
以上のように本発明によればファンの取付け時にトルク管理が不要であると共に取付け後もファン動作時の振動を低減できる。
【図面の簡単な説明】
【００１６】
【図１】本発明の実施形態１におけるファン取付け構造の斜視図。
【図２】同実施形態における取付け構造の分解斜視図。
【図３】同実施形態における取付け構造の縦断面図。
【図４】同実施形態における取付け部材の斜視図。
【図５】本発明の実施形態２におけるファン取付け構造の斜視図。
【図６】同実施形態における取付け構造の分解斜視図。
【図７】同実施形態における取付け構造の縦断面図。
【図８】同実施形態における取付け部材の斜視図。
【発明を実施するための形態】
【００１７】
（実施形態１）
図１に示された実施形態１のファン取付け構造１は、電子機器の排熱のために当該機器の例えば背面に配置される台座２に汎用のファン３を取り付けるための構造である。ファン取付け構造１はファン３の枠体４を台座２に押圧固定させる取付け部材５を備える。
【００１８】
ファン３は図１，２に示したように四角柱状の枠体４内に回転翼６を備えた汎用の軸流ファンであり、枠体４の開口部４０から吸気または排気を行う。ファン３は台座２の換気口２０と同心に配置される。ファン３の図示省略されたモータからは電源ケーブル３１が導出している。電源ケーブル３１の一端には電源コネクタ３２が接続されている。電源コネクタ３２は図３に示したようにファン３が台座２に取り付けられた際には当該台座２のコネクタ導入口２１に挿入される。
【００１９】
取付け部材５は、枠体４を保持する保持部５１と、この保持部５１を台座２に固定させる固定部５２とを一体的に備える。
【００２０】
保持部５１は、図４に示したように、枠体４のコーナー部位４１の上面と対向する面５１ａと、前記コーナー部位４１の一方の外側面と対向する面５１ｂと、前記コーナー部位４１の他方の外側面と対向する面５１ｃとを有する。保持部５１の面５１ａ，５１ｂ，５１ｃは互いに垂直に配置されている。また、面５１ａ，５１ｂ，５１ｃには板状の防振部材７が配置されている。防振部材７には周知の防振ゴムから成るもの（例えば特許文献１〜４）が適用される。
【００２１】
固定部５２には固定孔５３と位置決め凸部５４とが形成されている。固定孔５３は図２に示した台座２に形成された取付け孔２２と螺合する固定具８が挿通される孔である。一方、位置決め凸部５４は同図に示された台座２に形成された位置決め孔２３に挿入させるための凸部である。固定具８としては周知の子螺子、座金、ばね座金が適宜に適用される。
【００２２】
取付け部材５は図１に示されたように枠体４の対角部位に配置される。また、枠体４と台座２との間には防振部材９を介在させている。防振部材９には防振部材７と同様に周知の防振ゴムから成る板状の防振部材が適用される。
【００２３】
また、枠体４のコーナー部位４１には保護部材１０を固定させる固定具１１と螺合する固定孔４２が形成されている。保護部材１０は、枠体４内の回転翼６への異物（例えば指）の侵入を防ぐための部材であり、回転翼６の回転軸と同心に取付け部材５に取り付けられる。保護部材１０には周知の仕様のものが適用される。
【００２４】
保護部材１０は固定具１１によって取付け部材５の保持部５１に取付けられている。保持部５１には固定具１１と螺合する固定孔５５が形成されている。固定具１１には固定具８と同様に周知の子螺子、座金、ばね座金が適宜に用いられる。
【００２５】
以上の構成から明らかなようにファン取付け構造１によれば、取付け部材５が台座２に固定される際にファン３の枠体４が防振部材７を介して取付け部材５の押圧を受けるので、トルク管理を要することなくファン３を台座２に固定させることできる。
【００２６】
また、枠体４内の回転翼６が回転動作する際にはその振動が取付け部材５と枠体４との間に介在した防振部材７及び当該枠体４と台座２との間に介在した防振部材９により吸収されるので当該振動が台座２に伝わらなくなる。したがって、ファン３動作時の振動を低減できる。
【００２７】
さらに、取付け部材５はファン３の枠体４の対角部位に取付けられる態様となっているので、ファン３を台座２に取り付ける際の取付け部材５の部品点数を最小限に抑えることができる。また、取り付け部材５の面５１ａ，５１ｂ，５１ｃは互いに垂直に配置されているので台座２における換気口２０の縦方向または横方向への枠体４のずれを回避できる。
【００２８】
そして、取付け部材５を台座２に取付ける際に位置決め凸部５４を台座２の位置決め孔２３に挿入させると、ファン３の枠体４を台座２の所定位置に配置させることができる。
【００２９】
また、取付け部材５に保護部材１０を装着させれば、回転動作中の回転翼６への異物の侵入を防ぐことができる。
【００３０】
（実施形態２）
図５に示された実施形態２のファン取付け構造１２は、取付け部材５に代えて取付け部材１３を備えたこと以外は、実施形態１のファン取付け構造１と同じ構成となっている。尚、防振部材９は台座２の換気口２０の各コーナー付近に配置されている。
【００３１】
取付け部材１３は、図６，７に示したように、実施形態１の固定孔５２の代わりに固定柱１５を備える。固定柱１５は、保護部材１０を固定させる固定具１４と螺合する柱部であって、取付け部材５の保持部５１における保護部材１０の取り付け面に立設されている。固定具１４としては周知のナット、座金、ばね座金が適宜に用いられる。
【００３２】
また、取付け部材１３は、取付け部材５と同様に保持部５１の面５１ａ〜５１ｃに防振部材７を備えているが、図８に示したように面５１ｂ，５１ｃにおいては面５１ａ寄りの一部の領域に防振部材７を配置している。
【００３３】
以上のファン取付け構造１２によれば実施形態１のファン取付け構造１の効果に加えて以下の効果を奏する。
【００３４】
実施形態１のファン取付け構造１は、保護部材１０の固定具１１が取付け部材５の保持部５１において固定孔５２に螺着する構造となっているので、固定具１１の下端部が保持部５１の裏面から露出することがある。この取付け構造１は、ファン３が台座２における正規位置からずれて配置された場合、保持部５の裏面から露出した固定具１１が枠体４内の回転翼６に接触することがある。
【００３５】
これに対して、実施形態２のファン取付け構造１２では、保護部材１０が取付け部材５に取付けられる際に固定具１４が保持部５１上の固定柱１５にて螺着される。これにより、枠体４内の回転翼６に固定具１４が接触しなくなり、回転翼６の破損を防止できる。
【符号の説明】
【００３６】
１，１２…ファン取付け構造
２…台座、２３…位置決め孔
３…ファン
４…枠体，４１…コーナー部位
５，１３…取付け部材、５１…保持部、５２…固定部、５１ａ，５１ｂ，５１ｃ…面、５４…位置決め凸部
６…回転翼
７…防振部材
１０…保護部材
１１，１４…固定具
１５…固定柱
【図１】
2014179540.tif 000003
【図２】
2014179540.tif 000004
【図３】
2014179540.tif 000005
【図４】
2014179540.tif 000006
【図５】
2014179540.tif 000007
【図６】
2014179540.tif 000008
【図７】
2014179540.tif 000009
【図８】
2014179540.tif 000010